【手続補正書】
【提出日】平成18年3月3日(2006.3.3)
【手続補正１】
【補正対象書類名】明細書
【補正対象項目名】特許請求の範囲
【補正方法】変更
【補正の内容】
【特許請求の範囲】    【請求項１】 特別遊技とするか否かを決定する毎に、複数の図柄を変動表示する時間を指定する変動タイムを選択する主制御装置と、 該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、  前面に遊技者が操作可能な変動停止手段を設け、 前記主制御装置と前記図柄制御装置とは、主制御装置からのみ送信することができるよう一方向通信の回路として構成され、 前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記図柄表示装置による確定表示を行うよう制御することを特徴とする弾球遊技機。    【請求項２】  特別遊技とするか否かを決定する毎に、複数の図柄を変動表示する時間を指定する変動タイムを選択する主制御装置と、 該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、 前面に遊技者が操作可能な変動停止手段を設け、 前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記主制御基板から送信される図柄の確定表示を指示する情報を受信することに起因して前記図柄表示装置による確定表示を行うよう制御することを特徴とする弾球遊技機。    【請求項３】 特別遊技とするか否かを決定する毎に、複数の図柄を変動表示する時間を指定する変動タイムを選択する主制御装置と、 該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、 前面に遊技者が操作可能な変動停止手段を設け、 前記主制御装置と前記図柄制御装置とは、主制御装置からのみ送信することができるよう一方向通信の回路として構成され、 前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記主制御基板から送信される図柄の確定表示を指示する情報を受信することに起因して前記図柄表示装置による確定表示を行うよう制御することを特徴とする弾球遊技機。    【請求項４】 特別遊技とするか否かを決定する毎に、複数の図柄を変動表示する時間を指定する変動タイムを選択する主制御装置と、 該主制御装置から送信され��前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、 前面に遊技者が操作可能な変動停止手段を設け、 該変動停止手段からの出力を前記図柄制御装置に入力するように構成し、 前記主制御装置と前記図柄制御装置とは、主制御装置からのみ送信することができるよう一方向通信の回路として構成され、 前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記図柄表示装置による確定表示を行うよう制御することを特徴とする弾球遊技機。    【請求項５】 特別遊技とするか否かを決定する毎に、複数の図柄を変動表示する時間を指定する変動タイムを選択する主制御装置と、 該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、 前面に遊技者が操作可能な変動停止手段を設け、 該変動停止手段からの出力を前記図柄制御装置に入力するように構成し、 前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記主制御基板から送信される図柄の確定表示を指示する情報を受信することに起因して前記図柄表示装置による確定表示を行うよう制御することを特徴とする弾球遊技機。    【請求項６】 特別遊技とするか否かを決定する毎に、複数の図柄を変動表示する時間を指定する変動タイムを選択する主制御装置と、 該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、 前面に遊技者が操作可能な変動停止手段を設け、 該変動停止手段からの出力を前記図柄制御装置に入力するように構成し、 前記主制御装置と前記図柄制御装置とは、主制御装置からのみ送信することができるよう一方向通信の回路として構成され、 前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記主制御基板から送信される図柄の確定表示を指示する情報を受信することに起因して前記図柄表示装置による確定表示を行うよう制御することを特徴とする弾球遊技機。【手続補正２】
【補正対象書類名】明細書
【補正対象項目名】０００５
【補正方法】変更
【補正の内容】
【０００５】    【課題を解決するための手段及び効果】  前記課題を解決するため、請求項１記載の弾球遊技機は、特別遊技とするか否かを決定する毎に、複数の図柄を変動表示する時間を指定する変動タイムを選択する主制御装置と、該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、前面に遊技者が操作可能な変動停止手段を設け、前記主制御装置と前記図柄制御装置とは、主制御装置からのみ送信することができるよう一方向通信の回路として構成され、前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記図柄表示装置による確定表示を行うよう制御することを特徴とする弾球遊技機である。【手続補正３】
【補正対象書類名】明細書
【補正対象項目名】０００６
【補正方法】変更
【補正の内容】
【０００６】  請求項２記載の弾球遊技機は、特別遊技とするか否かを決定する毎に、複数の図柄を変動表示する時間を指定する変動タイムを選択する主制御装置と、該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、前面に遊技者が操作可能な変動停止手段を設け、前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記主制御基板から送信される図柄の確定表示を指示する情報を受信することに起因して前記図柄表示装置による確定表示を行うよう制御することを特徴とする弾球遊技機である。
【手続補正４】
【補正対象書類名】明細書
【補正対象項目名】０００７
【補正方法】変更
【補正の内容】
【０００７】  請求項３記載の弾球遊技機は、特別遊技とするか否かを決定する毎に、複数の図柄を変動表示する時間を指定する変動タイムを選択する主制御装置と、該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、前面に遊技者が操作可能な変動停止手段を設け、前記主制御装置と前記図柄制御装置とは、主制御装置からのみ送信することができるよう一方向通信の回路として構成され、前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記主制御基板から送信される図柄の確定表示を指示する情報を受信することに起因して前記図柄表示装置による確定表示を行うよう制御することを特徴とする弾球遊技機である。
【手続補正５】
【補正対象書類名】明細書
【補正対象項目名】０００８
【補正方法】変更
【補正の内容】
【０００８】  請求項４記載の弾球遊技機は、特別遊技とするか否かを決定する毎に、複数の図柄を変動表示する時間を指定する変動タイムを選択する主制御装置と、該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、前面に遊技者が操作可能な変動停止手段を設け、該変動停止手段からの出力を前記図柄制御装置に入力するように構成し、前記主制御装置と前記図柄制御装置とは、主制御装置からのみ送信することができるよう一方向通信の回路として構成され、前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記図柄表示装置による確定表示を行うよう制御することを特徴とする弾球遊技機である。
【手続補正６】
【補正対象書類名】明細書
【補正対象項目名】０００９
【補正方法】変更
【補正の内容】
【０００９】  請求項５記載の弾球遊技機は、特別遊技とするか否かを決定する毎に、複数の図柄を変動表示する時間を指定する変動タイムを選択する主制御装置と、該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、前面に遊技者が操作可能な変動停止手段を設け、該変動停止手段からの出力を前記図柄制御装置に入力するように構成し、前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記主制御基板から送信される図柄の確定表示を指示する情報を受信することに起因して前記図柄表示装置による確定表示を行うよう制御することを特徴とする弾球遊技機である。
【手続補正７】
【補正対象書類名】明細書
【補正対象項目名】００１０
【補正方法】変更
【補正の内容】
【００１０】  請求項６記載の弾球遊技機は、特別遊技とするか否かを決定する毎に、複数の図柄を変動表示する時間を指定する変動タイムを選択する主制御装置と、該主制御装置から送信される前記変動タイムを含む変動に関する情報を受信して、複数の図柄を前記変動タイムに指定された時間だけ変動表示したのち、前記特別遊技状態とするか否かを示す複数の図柄を確定表示するよう図柄表示装置を制御する図柄制御装置とを含み、前面に遊技者が操作可能な変動停止手段を設け、該変動停止手段からの出力を前記図柄制御装置に入力するように構成し、前記主制御装置と前記図柄制御装置とは、主制御装置からのみ送信することができるよう一方向通信の回路として構成され、前記図柄制御装置は、複数の図柄の変動表示中に前記変動停止手段を操作することにより、確定表示時に示されるべき複数の図柄の全てを図柄表示装置に停止表示し、且つ、前記変動停止手段の操作の有無に関わらず、前記変動タイムに指定された時間の経過後に前記主制御基板から送信される図柄の確定表示を指示する情報を受信することに起因して前記図柄表示装置による確定表示を行うよう制御することを特徴とする弾球遊技機である。
【手続補正８】
【補正対象書類名】明細書
【補正対象項目名】００１１
【補正方法】変更
【補正の内容】
【００１１】 上記した請求項１乃至６で記載されている変動停止手段とは、主制御装置又は図柄制御装置に入力され、複数の図柄の変動を停止させるものであり、遊技者が操作可能な位置に設けられていれば何等差し支えない。具体的に変動停止手段としては、変動停止釦、スティック、スイッチ等が考えられ、基本的には発射ハンドル付近、上皿、下皿又は枠等に設けることが好ましい。また、ここでいう図柄とは、特別図柄に限らず、普通電動役物等の特別図柄作動口を遊技者に有利な状態とするか否か等を決定する普通図柄も含む。 典型的には、変動停止手段の操作時に停止信号を受信して停止表示してから、所定の変動時間経過以後に確定信号を受信するまでの余剰時間は、主制御装置等との整合を図るために揺動変動等を行って複数の図柄を停止表示し、該余剰時間の経過以後に複数の図柄を確定表示する。なお、変動停止手段を操作するタイミングは停止図柄の種類には関係なく、如何なるタイミングで操作しても常に最終的な確定図柄で停止表示する。 これにより、請求項１乃至６記載の弾球遊技機は、変動停止手段を操作したときに最終の確定図柄を早期に確認できるため、お金の両替又はカードの購入等の用事で席を離れる際等に遊技の結果を気にする必要が無く時間を有効に利用できると共に、主制御装置と図柄制御装置との同期を図ることができる。